(57)【要約】      （修正有）【課題】海洋と海底を特定でき、所在位置が確認できる、標示装置を提供する。【解決手段】１０は本体であり、１は中心部にＧＰＳ機能を装着、２はＧＰＳを装着している中心部を保護する粘弾性体、３は海底での漏水に中心部を保護する耐水材、４は本体を保護する耐圧構造部材外枠、５は本体の外周を覆う表皮面部材、６は本体の上部に装着した太陽光発電装置である。この（ＧＰＳ装着座標）１には、海底の所在がわかるＧＰＳ受信機能と発信機能を装着している。【選択図】図１
0003178163.tif 000002
【実用新案登録請求の範囲】
【請求項１】
地震による津波、日本沿岸沿いに存在している「プレ−ト群」の移動を観測する「地球位置システム機能装着座標」（以下ＧＰＳ装着座標）を海洋海底に施設する。地殻の移動変動を常時観測することにより早期の予知により地震の範囲と規模を予側し適切な避難と対応等ができるようになる。海岸沿いにある「原子力発電施設」の沖合は特に重要な海域なので常時観測ができる（ＧＰＳ装着座標）を施設する。この（ＧＰＳ装着座標）には受信機能と発信機能が装着されてある。
【請求項２】
海底に船舶が航路する位置を確認できる「ＧＰＳ装着航路座標」を施設する、船舶は設置された座標を確認し航路を航海できる。例えば東京湾の浦賀水道や瀬戸内海での船舶の往来が多い航路に設置することにより船舶は安全な航海ができる。おなじく飛行機が着陸する進入路である海底に設置すれば夜間や視界が悪い濃霧でも安全に着陸できる誘導装置（ＧＰＳ装着航路座標）である。
【請求項３】
海底に位置を確認できる（ＧＰＳ装着座標）を設置する、漁師漁業組合等の漁場の権利の確認が明確にできる、市町村の海底境界、都道府県の海底境界、日本国領海２０海里に座標を設置することで海域が確認できる（ＧＰＳ装着座標）である。
【考案の詳細な説明】
【技術分野】
【０００１】本考案は、（ＧＰＳ装着座標）を海底に設置することで、陸上にある位置が確認できる座標や境界点に準じた位置が海底海域で確認できる（ＧＰＳ装着座標）に関するものである。なを方位機能を装着することで「ＧＰＳ方位機能装着」の誘導を確認し船舶等は航路を航海するのである。
【背景分野】
【０００２】これまで海洋海域海底には、陸上に在る位置が確認できる座標や境界点に類似する表示物は無いので、領海内の海難事故等で船舶の所在位置の特定が迅速にできない状況である、漁師は親から引き継いだ漁場を特定できずいさかいがあった、特に日本近海にある地震の元である地殻変動プレート群の移動を常時観測する観測点や観測方法は不十分である。
【考案の概要】
【考案が解決しようとする課題】
【０００３】これまで、海洋海底には位置を標示する制度がなく、法律も整備していない。これにより日本領海２０海里の明確な標示である座標が設置されせいないことによる、近隣諸国とのトラブルが起こっているのである。繰り返へされる台風による船舶の海難事故の海域所在が特定できず救助が遅れる事態である。思いがけないときに起きる、巨大地震と津波による膨大な被害を予測する観測組織は後手で不十分である。領海内の海域は、都道府県と市町村が領有しているが明確な境界線座標は存在していなのである。
【考案が解決するための手段】
【０００４】そこで、本考案は、以上の課題を解決すべく、海洋海底に位置を特定し確認できる「地球位置システム機能装着座標」と「ＧＰＳ装着航路座標」を提供することを目的とした。
【考案の効果】
【０００５】本考案に係る（ＧＰＳ装着座標）の設置により、日本領海２０海里の境界が明確に標示し確認できることにより、海域の海洋資源が確保され海底資源の開発が期待できる。領海内を航行する船舶の海域所在がこれまでよりも特定でき、海上警備も効率良く活動できる、船舶もこれまでよりも安全な運航が期待できる。日本近海にある地殻プレート群に（ＧＰＳ装着座標）を設置することにより地殻変動を常時観測できるので精度が良くなり、早期に予測ができ、地震の規模や避難時期等の対策と準備ができるので、被害を少なくすることに寄与する。領海内の海域を、都道府県と市町村の境界線に座標を設置ことにより領有海域や管理範囲が明確になるので、海域の活用が見直される、漁業関係者等は漁場を（ＧＰＳ装着座標）で特定できる。法律が立法施行されると領海内は国有海域と地方冶自体の海域が陸上に準じた境界線や座標により海底の海底地図が作成することができるのである、活用できる海域と航路や立ち入り禁止区域や保存する海域海底を標示することによる海洋領海内の自然体系等を盛り込んだ海洋地図が作成できることが期待できる（ＧＰＳ装着座標）である。
【図面の簡単な説明】
【０００６】
【図１】本考案に係る（ＧＰＳ装着座標）の一例を示す断面図である。
【図２】本考案に係る（ＧＰＳ装着座標）の一例を示す上部の平面図である。
【図３】本考案に係る（ＧＰＳ装着座標）の一例を示す側面の立面図である。
【考案を実施するための形態】
【０００７】以下に、本考案に係る（ＧＰＳ装着座標）の実施例を図１及び至図３に基づいて説明する。本考案に係る（ＧＰＳ装着座標）の一例を示す図１及び至図３において、１０は本考案の本体であり、１は中心部にＧＰＳ機能を装着、２はＧＰＳを装着している中心部を保護する粘弾性体、３は海底での漏水に中心部を保護する耐水材、４は本体を保護する耐圧構造部材外枠、５は本体の外周を覆う表皮面部材、６は本体の上部に装着した太陽光発電装置である。
【０００８】この（ＧＰＳ装着座標）の１０は本考案の本体であり、例えば、耐圧構造部材の外枠４の、その中心部に（ＧＰＳ装着座標）を装着した１とから構成されている。先ず、中心部の１は図略の円球の形状を有しており、このまわり２は衝撃から保護する粘弾性体で覆っている、その外がは３は海底での漏水に中心部の１を保護する耐水材で覆われている、なお外枠４は海底での水圧に中心部の１を保護する耐圧構造部材で造るられている、その外周部５は、海水特に塩害えの耐腐食性能と海底での衝撃や摩耗に対応する性能を有する表皮面部材で構成されている。
【０００９】この（ＧＰＳ装着座標）１には、海底の所在がわかるＧＰＳ受信機能と発信機能を装着している。海低までの深さ水深と水圧に対応する性能を（ＧＰＳ装着座標）１２３４５６７８９１０は保有する、（ＧＰＳ装着座標）の１０に表示する一例（０００気圧まで設置可）により最適な設置できる。
【００１０】  海域の海底に、（ＧＰＳ装着座標）１０を、陸上に準じた、境界点に座標を設置する。これにより海域が特定し確認できる、一例として漁師と漁業関係者等は漁場を（ＧＰＳ装着座標）で特定し確認できる。市町村の海底境界や、都道府県の海底境界に、あるべき日本国領海２０海里の海域に座標を設置することで海域が確認できる（ＧＰＳ装着座標）である。
【００１１】また、（ＧＰＳ装着座標）本体に装着している１の中心部（ＧＰＳ装置座標）に方位性能を追加した方位方向を示す（ＧＰＳ装着航路座標）ができる。海底の目的地点や埋設物（ケーブル等）の標示ができる。船舶の航路に施設すると、往来が多い航路を航行する船舶は座標を確認し航海ができる。
おなじように飛行機が着陸する進入路の海底に設置すれば夜間や視界が悪い濃霧でも座標を確認し着陸ができる、誘導標示の（ＧＰＳ装着航路座標）である。
【００１２】本考案（ＧＰＳ装着座標）１０を、日本近海沿いに存在している「プレート群」の海底沿いに施設する。常時地殻の移動を観測することで地震への早期予知と地震の規模範囲を予側することにより適切な避難と被害を軽減する対応ができる。特に、海岸沿いに点在する「原子力発電施設」の海域に設置し常時観測情報の解析により早期に適切な対処ができる（ＧＰＳ装着座標）である。
【００１３】なお、（ＧＰＳ装着座標）１０を、公海の海底資源等の所在と海域を特定することに活用できる。公海の危険海域等に施設し船舶等の海難事故を未然に防ぐのに活用できる。
【００１４】さらに、以上の事例においては、（ＧＰＳ装着座標）１０を、海底に設置や施設したが、この（ＧＰＳ装着座標）の利点である所在を確認できることで。その、海域や海底に設置や施設した位置を変更や修正ができる。海域の拡大縮小の変更や修正ができ、保守点検管理等で回収することもできる（ＧＰＳ装着座標）である。
【符号の接名】
【００１５】１  「ＧＰＳ装着座標」本体の断面の中心部に装着した（ＧＰＳ装着座標）
２  中心部に装着した（ＧＰＳ装着座標）を衝撃から保護する粘弾性体
３  中心部に装着した（ＧＰＳ装着座標）を漏水から保護する高性能防水材
４  中心部に装着した（ＧＰＳ装着座標）を海底の水圧から保護する外枠の耐圧構造部材
５  「ＧＰＳ装着座標」本体を海底の岩盤や砂礫に安定する突起物
６  「ＧＰＳ装着座標」本体の外周を覆う表皮面部材
７  「ＧＰＳ装着座標」本体外枠の上枠と下枠の接合部
８  「ＧＰＳ装着座標」本体の外周上部に装着した太陽光発電装置
９  「ＧＰＳ装着座標」本体を海底の指定した境界点に吊り下げるフック
１０  「ＧＰＳ装着座標」本体の外観
【図１】
0003178163.tif 000003
【図２】
0003178163.tif 000004
【図３】
0003178163.tif 000005
【手続補正書】
【提出日】平成24年4月24日(2012.4.24)
【手続補正１】
【補正対象書類名】図面
【補正対象項目名】全図
【補正方法】変更
【補正の内容】
【図１】
0003178163.tif 000006
【図２】
0003178163.tif 000007
【図３】
0003178163.tif 000008
【手続補正書】
【提出日】平成24年6月18日(2012.6.18)
【手続補正１】
【補正対象書類名】実用新案登録請求の範囲
【補正対象項目名】全文
【補正方法】変更
【補正の内容】
【実用新案登録請求の範囲】
【請求項１】
境界座標として使われている境界杭でその中心部に地球位置システムを装着したことを特徴とする地球位置システム機能装着座標装置。
【請求項２】
前記地球位置システム機能装着座標装置は球体で海底の境界点を標示することを特徴とする請求項１記載の地球位置システム機能装着座標装置。
【請求項３】
請求項１または請求項２記載された地球位置システム機能装着座標装置から発信された情報を受信する受信部を備え前記地球位置システム機能装着座標装置の位置を表示することができる表示機。
【手続補正３】
【補正対象書類名】明細書
【補正対象項目名】０００７
【補正方法】変更
【補正の内容】
【０００７】  以下に、本考案に係る（ＧＰＳ装着座標）の実施例を図１及び至図３に基づいて説明する。本考案に係る（ＧＰＳ装着座標）の一例を示す図１及び至図３において、１０は本考案の本体であり、１は中心部にＧＰＳ機能を装着、２はＧＰＳを装着している中心部を保護する粘弾性体、３は海底での漏水に中心部を保護する耐水材、４は本体を保護する耐圧構造部材外枠、６は本体の外周を覆う表皮面部材、８は本体の上部に装着した太陽光発電装置である。